(57)【要約】【課題】  短時間で発光部材を交換することができる発光素子付きデザイン性被服、発光素子付きデザイン性装飾品、及びデザイン性被服の提供。【解決手段】  発光素子付きデザイン性被服１は、互いに電気的に接続された複数の発光素子を備え、柔軟性を有する発光部材１１と、ケーブル１２を介して発光部材１１に接続され、発光素子の発光を制御するコントローラ１０と、両端部に第１開口３ａと第２開口３ｂと、がそれぞれ形成され、発光部材１１が挿入されるループ状の保持部３と、保持部３が固定される本体部２と、を有している。保持部３の第１開口３ａ及び第２開口３ｂは、いずれも外部に露出している。ケーブル１２は脱着可能な接続部１３を有し、接続部１３は保持部３から露出している。【選択図】図１
2020196973.tif 000002
【特許請求の範囲】
【請求項１】
互いに電気的に接続された複数の発光素子を備え、柔軟性を有する発光部材と、
ケーブルを介して前記発光部材に接続され、前記複数の発光素子の発光を制御するコントローラと、
両端部が開口し、前記発光部材が挿入されるループ状の保持部と、
前記保持部が固定される本体部と、を有し、
前記保持部の前記開口は、いずれも外部に露出し、
前記ケーブルは、脱着可能な接続部を有し、
前記接続部は、前記保持部から露出していることを特徴とする発光素子付きデザイン性被服。
【請求項２】
前記保持部は、オーガンジー、ガーゼ、コットンボイル、シフォン、ジョーゼット、シルク、メッシュ、チュール、ナイロンシャー、パワーネット、レース、ローン生地のうちいずれかの素材によって構成されていることを特徴とする請求項１に記載の発光素子付きデザイン性被服。
【請求項３】
前記保持部の素材は、３０デニール以上であって２００デニール以下であることを特徴とする請求項１または２に記載の発光素子付きデザイン性被服。
【請求項４】
互いに電気的に接続された複数の発光素子を備え、柔軟性を有する発光部材と、
ケーブルを介して前記発光部材に接続され、前記複数の発光素子の発光を制御するコントローラと、
両端部が開口し、前記発光部材が挿入されるループ状の保持部と、
前記保持部が固定される本体部と、を有し、
前記保持部の前記開口は、いずれも外部に露出し、
前記ケーブルは、脱着可能な接続部を有し、
前記接続部は、前記保持部から露出していることを特徴とする発光素子付きデザイン性装飾品。
【請求項５】
両端部が開口し、電気ケーブルによって互いに電気的に接続された複数の発光素子を備え柔軟性を有する発光部材が挿入可能なループ状の保持部と、
前記保持部が固定される本体部と、を有し、
前記保持部は、前記本体部上を湾曲するように固定される湾曲部を有し、
前記保持部の前記開口はいずれも外部に露出していることを特徴とするデザイン性被服。
【請求項６】
前記保持部は、オーガンジー、ガーゼ、コットンボイル、シフォン、ジョーゼット、シルク、メッシュ、チュール、ナイロンシャー、パワーネット、レース、ローン生地のうちいずれかの素材によって構成されていることを特徴とする請求項５に記載のデザイン性被服。
【請求項７】
前記保持部の素材は、３０デニール以上であって２００デニール以下であることを特徴とする請求項５または６に記載のデザイン性被服。
【発明の詳細な説明】
【技術分野】
【０００１】
本発明は発光素子付きデザイン性被服、発光素子付きデザイン性装飾品、及びデザイン性被服に関し、特にイベントなどの衣装として使用される発光素子付きデザイン性被服、発光素子付きデザイン性装飾品、及びデザイン性被服に関する。
【背景技術】
【０００２】
従来より、イベントでダンサー等が着用する発光素子付きデザイン性衣服が知られている（例えば、特許文献１）。発光素子付きデザイン性被服では、メッシュ状のカバー部が発光部材を覆うことによって、外観上発光部材を目立たなくしてデザイン性を確保している。カバー部で覆われた発光部材は、面ファスナーによってデザイン性被服に着脱可能に固定される。
【０００３】
他の発光モジュールを有する衣装では、光を透過させる被覆材量で衣服に形成された収納部に発光テープが着脱自在に取り付けられている（例えば、特許文献２）。衣装では、発光テープを収納する収納部は人の関節部分を避けて設けられ、間接部分には電気ケーブルを配置している。これにより、間接部分で発光テープの屈曲を抑制して破損を防止できる。
【先行技術文献】
【特許文献】
【０００４】
【特許文献１】特許第６０７４５６５号
【特許文献２】特開２０１６−１８３４４３号公報
【発明の概要】
【発明が解決しようとする課題】
【０００５】
しかしながら、特許文献１に記載の発光素子付きデザイン性衣服では、メッシュ状のカバー部覆われた発光部材が面ファスナーによってデザイン性衣服に着脱可能となっているため、発光部材の点灯不良などが発生した場合にはすべての面ファスナーを取り外し、再度新たな発光部材を用意して面ファスナーで衣服に取り付ける必要があった。ダンサーがデザイン性衣服を使用している場合には、ダンス中に発光部材の点灯不良が発生すると短時間で発光部材を交換しなければならないが、上記のような交換方法だと時間が掛かってしまうためダンサーが舞台から消えている時間が長くなっていた。よって、発光部材の点灯不良が起こったとしても、短時間で発光部材を交換可能な構造が求められていた。
【０００６】
また、特許文献２に記載の衣装においても同様に、発光テープを収納部から短時間で取り外すことを想定した構造になっておらず、発光テープ不良発生時には交換にある程度の時間が掛かっていた。
【０００７】
そこで、本発明は、短時間で発光部材を交換することができる発光素子付きデザイン性被服、発光素子付きデザイン性装飾品、及びデザイン性被服を提供することを目的とする。
【課題を解決するための手段】
【０００８】
上記課題を解決するために第１の発明は、互いに電気的に接続された複数の発光素子を備え、柔軟性を有する発光部材と、ケーブルを介して前記発光部材に接続され、前記複数の発光素子の発光を制御するコントローラと、両端部が開口し、前記発光部材が挿入されるループ状の保持部と、前記保持部が固定される本体部と、を有し、前記保持部の前記開口は、いずれも外部に露出し、前記ケーブルは、脱着可能な接続部を有し、前記接続部は、前記保持部から露出していることを特徴とする発光素子付きデザイン性被服を提供している。
【０００９】
第２の発明では、第１の発明に記載された発光素子付きデザイン性被服であって、前記保持部は、オーガンジー、ガーゼ、コットンボイル、シフォン、ジョーゼット、シルク、メッシュ、チュール、ナイロンシャー、パワーネット、レース、ローン生地のうちいずれかの素材によって構成されていることを特徴としている。
【００１０】
第３の発明では、第２の発明に記載された発光素子付きデザイン性被服であって、前記保持部の素材は、３０デニール以上であって２００デニール以下であることを特徴としている。
【００１１】
第４の発明では、互いに電気的に接続された複数の発光素子を備え、柔軟性を有する発光部材と、ケーブルを介して前記発光部材に接続され、前記複数の発光素子の発光を制御するコントローラと、両端部が開口し、前記発光部材が挿入されるループ状の保持部と、前記保持部が固定される本体部と、を有し、前記保持部の前記開口は、いずれも外部に露出し、
前記ケーブルは、脱着可能な接続部を有し、前記接続部は、前記保持部から露出していることを特徴とする発光素子付きデザイン性装飾品を提供している。
【００１２】
第５の発明では、両端部が開口し、電気ケーブルによって互いに電気的に接続された複数の発光素子を備え柔軟性を有する発光部材が挿入可能なループ状の保持部と、前記保持部が固定される本体部と、を有し、前記保持部は、前記本体部上を湾曲するように固定される湾曲部を有し、前記保持部の前記開口はいずれも外部に露出していることを特徴とするデザイン性被服を提供している。
【００１３】
第６の発明は、第５の発明に記載されたデザイン性被服であって、前記保持部は、オーガンジー、ガーゼ、コットンボイル、シフォン、ジョーゼット、シルク、メッシュ、チュール、ナイロンシャー、パワーネット、レース、ローン生地のうちいずれかの素材によって構成されていることを特徴としている。
【００１４】
第７の発明は、第５の発明または第６の発明に記載されたデザイン性被服であって、前記保持部の素材は、３０デニール以上であって２００デニール以下であることを特徴としている。
【発明の効果】
【００１５】
第１の発明によると、発光部材は両端が開口したループ状の保持部によって保持されているため、発光部材をデザイン性被服から取り外す際は発光部材を両方の開口から取り出すことが可能となる。これにより、発光部材が発光不良となって交換が必要になったとき、即座に発光部材を交換することができる。また、発光部材とコントローラとを繋ぐケーブルが脱着可能な接続部を有しているため、接続部を取り外して発光部材とコントローラとを離脱させることにより、所望の開口から発光部材を取出すことができる。例えば、ケーブルが着脱可能に構成されていない場合にはケーブルが露出している側の開口でしか発光部材を取出すことができないが、本発明によると、接続部を取り外すことで任意の開口から発光部材を取出すことができる。これにより、発光部材が発光不良となって交換が必要になったとき、即座に発光部材を交換することができる。さらに、接続部が保持部から露出しているため、接続部を探す作業が省略されて短時間で発光部材を交換することができる。また、開口が外部に露出しているため、被服の内部に位置している場合と比較すると、被服を着用した状態のまま発光部材を取り外すことができる。
【００１６】
第２の発明によると、保持部は、オーガンジー、ガーゼ、コットンボイル、コットン、シフォン、ジョーゼット、シルク、メッシュ、チュール、ナイロンシャー、パワーネット、レース、ローン生地のうちいずれかの素材によって構成されているため、いずれの素材も表面に光沢があって光の透過性を有している。これにより、発光部材の光を透過しつつデザイン性に優れた被服を実現することができる。
【００１７】
第３の発明によると、保持部の素材は３０デニール以上であって２００デニール以下あるため、発光部材の光を透過しつつ発光素子を繋ぐ電気ケーブルを目立たせなくすることができる。これにより、保持部が発光部材を目立たない状態で保持しつつデザイン性に優れた被服を実現することができる。
【００１８】
第４の発明によると、発光部材は両端が開口したループ状の保持部によって保持されているため、発光部材をデザイン性装飾品から取り外す際は発光部材を両方の開口から取り出すことが可能となる。これにより、発光部材が発光不良となって発光部材の交換が必要となったとき、即座に発光部材を交換することができる。
【００１９】
第５の発明によると、保持部の両端が開口したループ状の保持部に発光部材が挿入されるため、発光部材をデザイン性被服から取り外す際は発光部材を両方の開口から取り出すことが可能となる。これにより、発光部材が発光不良となって発光部材の交換が必要となったとき、即座に発光部材を交換することができる。また、保持部は本体部上を湾曲するように固定された湾曲部を有しているため、湾曲部に発光部材を挿入することによりデザイン性に優れた被服を実現することができる。
【００２０】
第６の発明によると、保持部は、オーガンジー、ガーゼ、コットンボイル、シフォン、ジョーゼット、シルク、メッシュ、チュール、ナイロンシャー、パワーネット、レース、ローン生地のうちいずれかの素材によって構成されているため、発光部材の光を透過しつつデザイン性に優れた被服を実現することができる。
【００２１】
第７の発明によると、保持部の素材は３０デニール以上であって２００デニール以下であるため、発光部材の光を透過しつつ発光素子を繋ぐ電気ケーブルを目立たせなくすることができる。これにより、発光部材を目立たない状態で保持しつつデザイン性に優れた被服を実現することができる。
【００２２】
本発明によると、短時間で発光部材を交換することができる発光素子付きデザイン性被服、発光素子付きデザイン性装飾品、及びデザイン性被服を提供することができる。
【図面の簡単な説明】
【００２３】
【図１】本発明の第１の実施の形態による発光素子付きデザイン性被服の正面図。
【図２】本発明の第１の実施の形態による発光素子付きデザイン性被服の開口近傍の部分拡大図。
【図３】本発明の第１の実施の形態による発光素子付きデザイン性被服の発光部材とコントローラの斜視図。
【図４】本発明の第１の実施の形態による発光素子付きデザイン性被服の保持部の縫製方法を示す部分断面図。
【図５】本発明の第１の実施の形態による発光素子付きデザイン性被服の保持部の生地の透け具合を示す説明図。
【図６】本発明の第２の実施の形態による発光素子付きデザイン性被服の斜視図。
【発明を実施するための形態】
【００２４】
本発明の第１の実施の形態による発光素子付きデザイン性被服１を図１から図５に基づき説明する。発光素子付きデザイン性被服１は、イベントなどで主催者、ダンサー、参加者等が着用する被服であって、図１に示すように、パーカーの形状をなしている。発光素子付きデザイン性被服１には、図３に示すコントローラ１０に接続された発光部材１１が着脱可能に装着される。発光素子付きデザイン性被服１の形状は、これに限定されずジャケット、ベスト、ドレス、スーツ、コート、帽子、手袋、マフラー、ビキニ、靴下、靴など体の一部を覆うものであればよい。
【００２５】
発光素子付きデザイン性被服１は、本体部２と、保持部３と、から構成される。本体部２は、腹部２１と、右腕２２と、左腕２３と、フード２４と、を有している。腹部２１の内側には、コントローラ１０を収納可能な第１内ポケット２１Ａと、第２内ポケット２１Ｂと、が備えられている。
【００２６】
第１内ポケット２１Ａは腹部２１の右下に設けられていて、第２内ポケット２１Ｂは腹部２１の右胸近傍に設けられている。第１内ポケット２１Ａ及び第２内ポケット２１Ｂは、それぞれ図示せぬ開閉部によって開閉可能となっている。これにより、発光素子付きデザイン性被服１を着用して激しい動きをした場合でも、コントローラ１０が第１内ポケット２１Ａ又は第２内ポケット２１Ｂから落下することがない。
【００２７】
腹部２１の中央にはファスナー２５が設けられていて、ファスナー２５の左右方向の両側に保持部３が位置している。右腕２２の上部には、全周に亘って保持部３が設けられている。フード２４のフード開口２４ａの周縁には、保持部３が設けられている。保持部３のうちフード開口２４ａの周縁の湾曲している部分が、本発明の湾曲部に相当する。
【００２８】
保持部３は、図２に示すように、一端に形成された第１開口３ａと、他端に形成された第２開口３ｂと、を有し第１開口３ａと第２開口３ｂとがループ形状で繋がっている。換言すると、保持部３は、図１の斜線で示すように、第１開口３ａが形成された腹部２１のファスナー２５の右下から上方に立ち上がり、反時計周りにフード開口２４ａの周縁を経由し、第２開口３ｂが形成された腹部２１のファスナー２５の左下に至るように構成されている。第１開口３ａ及び第２開口３ｂは、発光素子付きデザイン性被服１の外側に露出している。右腕２２に設けられたた保持部３は、図示せぬ２つの開口が設けられていて、いずれも発光素子付きデザイン性被服１の外側に露出している。
【００２９】
保持部３の縫製方法について、図４（ａ）から図４（ｃ）を参照して説明する。本実施の形態では、図４（ａ）から図４（ｃ）のいずれかの方法で本体部２に保持部３を固定する。
【００３０】
図４（ａ）に示すように、保持部３の両端を外部に露出するように断面形状をΩ形に縫製することにより、本体部２に保持部３を形成する。縫目３Ａが保持部３の外部に露出しているため、縫製作業を効率的に行うことができる。また、生地を折り曲げるようにして保持部３を形成しているため、第１開口３ａ及び第２開口３ｂの開口面積を広く保つことができ、発光部材１１の保持部３からの着脱作業が効率化される。
【００３１】
図４（ｂ）に示すように、保持部３の両端を内側に折り込むように断面形状をＯ形に縫製することにより、本体部２に保持部３を形成する。縫製部分が保持部３の内部にあるため、縫目３Ａが表に露出せずにデザイン性に優れている。
【００３２】
図４（ｃ）に示すように、保持部３の両端が重なるように断面形状をＯ形に縫製することにより、本体部２に保持部３を形成する。保持部３の両端が重なるように縫製されているため、保持部３の端部が解れ難く強度を高く保つことができる。
【００３３】
保持部３の生地は、オーガンジー、ガーゼ、コットンボイル、コットン、シフォン、ジョーゼット、シルク、チュール、ナイロンシャー、パワーネット、メッシュ、レース、ローン生地が望ましいが、これに限定されずある程度の光沢を有し、光を透過し、外部から発光部材１１を視認し難い素材であれば良い。
【００３４】
保持部３の厚みは、３０デニール以上であって２００デニール以下が好ましい。図５は、１５デニールのチュール、３０デニールのオーガンジー、５０デニールのジョーゼット、７５デニールのジョーゼット、でそれぞれ発光部材１１を発光させたときと、発光させていないときと、の透過の程度を示す写真である。発光素子付きデザイン性被服１は、発光部材１１を発光させて使用するため、ダンスホールやクラブ、夕刻の野外ライブなどある程度照明の暗いところで着用される。よって、僅かに発光部材１１が認識できる程度の透け具合は許容されるが、遠目に見て発光部材１１を認識できる程度に透けることはデザイン性に欠けるため不適である。
【００３５】
【表１】
2020196973.tif 000003
【００３６】
１５デニールの場合には、発光部材１１が外部からはっきりと視認できる程度に透けているため、発光素子付きデザイン性被服１としてはデザイン性に欠け不適である。３０デニールになると、発光部材１１は外部からは存在が分かるが暗い雰囲気下で遠目に見た場合には視認し難い。よって、保持部３の生地としては適切である。５０デニールになると、さらに発光部材１１が視認し難くなり、７５デニールになるとほとんど外部から視認できない。ただし、いずれの場合においても、発光素子１４を発光させると、光が保持部３を通過して外部から十分に視認することができる。保持部３の厚みが２００デニールを超えると、発光部材１１は完全に外部から視認できないが、発光素子１４の光が十分に透過しない。よって、保持部３の生地の厚みの上限は２００デニールが適切である。
【００３７】
図３に示すように、コントローラ１０と発光部材１１とは、ケーブル１２によって接続されている。コントローラ１０は、図示せぬ電源と、操作ボタン１０Ａと、表示灯１０Ｂと、を有している。コントローラ１０は、単４電池４本で駆動するが、充電式のリチウムイオン電池を内蔵してもよい。
【００３８】
ケーブル１２の一端はコントローラ１０に電気的に接続され、他端に脱着可能な接続部１３が設けられている。接続部１３はバックルタイプの接続機構であって、ケーブル１２と発光部材１１とを脱着可能に接続している。
【００３９】
発光部材１１はＲＧＢの３つから構成されたフルカラーＬＥＤであり複数の発色が可能である。発光部材１１は、複数の発光素子１４が柔軟性を有する電気ケーブル１５で互いに接続されている。発光部材１１の長さ及び発光素子１４の個数は、保持部３の全長に応じて任意に設定することができる。
【００４０】
発光部材１１を保持部３に通す際は、図３に示すように、第１開口３ａから発光部材１１の先端を通し、ファスナー２５の右側から上方に向かい、フード開口２４ａの周縁を通過し、第２開口３ｂの近傍に発光部材１１の先端が位置するように挿入する。このとき、接続部１３は第１開口３ａの外部に露出している。コントローラ１０を第１内ポケット２１Ａに収納し、発光部材１１の発光素子付きデザイン性被服１への装着が完了する。
【００４１】
発光部材１１を発光素子付きデザイン性被服１から取り外す際は、接続部１３を取り外してケーブル１２と発光部材１１とを離脱させ、第１開口３ａから発光部材１１を一気に引き抜くか、又は第２開口３ｂ側から発光部材１１の先端を取り出して一気に引き抜く。
【００４２】
次に、発光部材１１の発光パターンについて説明する。図示せぬ電源をオンにすると、初期状態として発光素子１４が赤、青、緑、の順番で点灯し、表示灯１０Ｂが点灯状態となる。操作ボタン１０Ａを押下すると、所定時間間隔ですべての色が点灯する。さらに操作ボタン１０Ａを押下すると、赤、青、緑の順番で流れるように点灯する。さらに操作ボタン１０Ａを押下すると、発光素子１４が赤青緑の順番で点滅する。さらに操作ボタン１０Ａを押下すると、発光素子１４がさらに短い時間間隔で点滅する。コントローラ１０の発光部材１１の制御方法は、これに限定されず発光素子１４を所望の点灯状態とすることができる。
【００４３】
コントローラ１０は、サウンドアクティブモードを搭載しており、図示せぬ音検出部の検出した音に基づいて発光素子１４が発光する。また、コントローラ１０はリモートモードを搭載しており、図示せぬリモコンを操作することによりボタン８４を押下したのと同様の効果を得ることができる。また、図示せぬリモコンでは複数の発光部６を同時に操作することが可能である。例えば、複数人のダンサーが発光素子付きデザイン性被服１を装着してダンスをしている場合、複数人のダンサーの発光素子付きデザイン性被服１の発光色を同時に切り替えることができる。再び図示せぬ電源を操作することでコントローラ１０の電源が落ちる。
【００４４】
このような構成によると、発光部材１１は両端に第１開口３ａ及び第２開口３ｂが設けられたループ状の保持部３によって保持されているため、発光部材１１を発光素子付きデザイン性被服１から取り外す際は発光部材１１を第１開口３ａ又は第２開口３ｂから取り出すことが可能となる。これにより、発光部材１１が発光不良となって交換が必要になったとき、即座に発光部材１１を交換することができる。また、発光部材１１とコントローラ１０とを繋ぐケーブル１２が脱着可能な接続部１３を有しているため、接続部１３を取り外して発光部材１１とコントローラ１０とを離脱させることにより、所望の開口から発光部材１１を取出すことができる。例えば、ケーブル１２が着脱可能に構成されていない場合にはケーブル１２が露出している側の第１開口３ａでしか発光部材１１を取出すことができないが、本発明によると、接続部１３を取り外すことで第１開口３ａ又は第２開口３ｂから発光部材１１を取出すことができる。これにより、発光部材１１が発光不良となって交換が必要になったとき、即座に発光部材１１を交換することができる。さらに、接続部１３が保持部３から露出しているため、接続部１３を探す作業が省略されて短時間で発光部材１１を交換することができる。また、第１開口３ａ及び第２開口３ｂが外部に露出しているため、内部に位置している場合と比較すると、発光素子付きデザイン性被服１を着用した状態のまま発光部材１１を取り外すことができる。
【００４５】
このような構成によると、保持部３は、オーガンジー、ガーゼ、コットンボイル、コットン、シフォン、ジョーゼット、シルク、メッシュ、チュール、ナイロンシャー、パワーネット、レース、ローン生地のうちいずれかの素材によって構成されているため、いずれの素材も表面に光沢があって光の透過性を有している。よって、発光部材１１の光を透過しつつデザイン性に優れた被服を実現することができる。
【００４６】
このような構成によると、保持部３の素材は３０デニール以上であって２００デニール以下あるため、発光部材１１の光を透過しつつ発光素子１４を繋ぐ電気ケーブル１５を目立たせなくすることができる。これにより、発光部材１１を目立たない状態で保持しつつデザイン性に優れた被服を実現することができる。
【００４７】
次に、本発明の第２の実施の形態について、図６に基づいて説明する。第１の実施の形態と略同一の構成については、同一の符号を付し説明を省略する。
【００４８】
発光素子付きデザイン性被服１０１は、ブラジャー形状であって、胸部１０２の周縁に沿って湾曲するように４つの保持部３が設けられている。保持部３の第１開口３ａ及び第２開口３ｂは、発光素子付きデザイン性被服１０１の外部に露出している。
【００４９】
発光部材１１を発光素子付きデザイン性被服１０１に装着する際は、発光部材１１を矢印Ａ、矢印Ｂ、矢印Ｃ、矢印Ｄ、矢印Ｅの順番で保持部３に通す。つまり、胸部１０２の周囲を８の字を描くように発光部材１１を保持部３に通す。コントローラは、発光素子付きデザイン性被服１０１に引掛けることにより保持される。
【００５０】
本発明による発光素子付きデザイン性被服、発光素子付きデザイン性装飾品、及びデザイン性被服は、上述した実施の形態に限定されず、特許請求の範囲に記載された発明の要旨の範囲内で種々の変更が可能である。
【００５１】
上述の実施の形態では、保持部３を発光素子付きデザイン性被服１に用いたが、これに限定されない。例えば、ブレスレット、アンクレット、ペンダント、ベルトなどの装飾品に保持部を設けることにより発光部材を着脱可能に保持してもよい。この場合においても、第１の実施の形態の発光素子付きデザイン性被服１の場合と同様の構成の保持部３を用いることが望ましい。つまり、保持部はオーガンジー、ガーゼ、コットンボイル、シフォン、ジョーゼット、シルク、メッシュ、チュール、ナイロンシャー、パワーネット、レース、ローン生地のうちいずれかの素材によって構成されるとともに、３０デニール以上であって２００デニール以下であることが望ましい。
【符号の説明】
【００５２】
１      発光素子付きデザイン性被服
２      本体部
３      保持部
３ａ    第１開口
３ｂ    第２開口
３Ａ    縫目
１０    コントローラ
１１    発光部材
１２    ケーブル
１３    接続部
１４    発光素子
１５    電気ケーブル
【図１】
2020196973.tif 000004
【図２】
2020196973.tif 000005
【図３】
2020196973.tif 000006
【図４】
2020196973.tif 000007
【図５】
2020196973.tif 000008
【図６】
2020196973.tif 000009